(57)【要約】【課題】収納体を内部で安定的に配置させると共に収納体を容易に取り替えることができ、操作し易い大きさを操作部が有し、操作部の場所を把握しやすいシート体収容容器を提供すること。【解決手段】シート体２１を多数収納し、取出口２２を有する収納体２０を収容するシート体収容容器１０は、収納体に対応した中空部Ｅを有する容器本体部１００を備え、容器本体部は壁厚が薄肉に形成され、容器本体部には、収納体の開口１１０ａと、開口を覆う蓋体１４０と、シート体を引き出すために収納体の取出口に対応して配置される取り出し開口部１１２と、取り出し開口部を覆う取り出し蓋部１２０と、利用者が操作する操作部１３０と、が形成され、容器本体部の上面の一部及びこの一部と連接する側面には突出部１１３が形成され、操作部の一部が容器本体部の上面側の突出部に配置されているシート体収容容器１０。【選択図】図３
2006340915.tif 000002
【特許請求の範囲】
【請求項１】
先端部が上面側に配置されるシート体と、
前記シート体を多数収納すると共に取出口を有する収納体を収容するシート体収容容器であって、
前記シート体収容容器は、前記収納体の外形寸法に対応した中空部を有し、この中空部に前記収納体を安定的に配置できる容器本体部を備えており、
前記容器本体部は、その壁厚が薄肉に形成され、
前記容器本体部には、
前記収納体を出し入れする為の開口と、
前記開口を開閉可能に覆う蓋体と、
前記シート体を使用単位毎に順次引き出すために、前記収納体の取出口の位置に対応して配置される取り出し開口部と、
前記取り出し開口部を覆うために開閉可能な構成となっている取り出し蓋部と、
前記取り出し蓋部の開閉動作を行うために利用者が操作する操作部と、が形成され、
少なくとも、前記取り出し開口部が形成されている前記容器本体部の上面の一部及びこの一部と連接する側面には、外方に向かって突出部が形成され、
前記操作部の少なくとも一部が、前記容器本体部の前記上面側に形成された前記突出部に配置されていることを特徴とするシート体収容容器。
【請求項２】
前記容器本体部において前記突出部と対向する位置には、前記容器本体部の内側に向かって凹状に形成される容器本体凹部が形成されていることを特徴とする請求項１に記載のシート体収容容器。
【請求項３】
前記操作部は、前記容器本体部内で、軸点を中心として上下方向に揺動する構成となっていることを特徴とする請求項１又は請求項２に記載のシート体収容容器。
【請求項４】
前記容器本体部における前記開口は、前記容器本体部の下側に配置され、前記蓋体が前記容器本体よりも柔軟な材料で形成されており、前記容器本体部の前記突出部に対応した位置が開口突出部とされており、前記蓋体に前記開口突出部と嵌合する蓋体突出部が形成されていることを特徴とする請求項１乃至請求項３のいずれかに記載のシート体収容容器。
【発明の詳細な説明】
【技術分野】
【０００１】
本発明は、折り畳まれたウェットティシュ等のシート体を収容するシート体収容容器に関するものである。
【背景技術】
【０００２】
従来より、折り畳まれたウェットティシュ等を収容するためのウェットティシュ容器が用いられている（例えば、特許文献１）。
このようなウェットティシュ容器の一例が、特許文献１の図１５や図２４に表示されている。このうち図１５に示されている容器８０を例にその構造を説明する。
図１５に示すように容器８０は、折り畳まれたウェットティシュを多数収容してなる包装体３０をその内部に収容する容器本体１３を有している。
また、容器本体１３の上面には、ウェットティシュを取り出すための開口が形成されると共に、この開口を覆うための蓋体１２が形成されている。
この蓋体１２は開方向にばね等で付勢されているため、この付勢力に抗して蓋体１２を閉状態に維持させる機構が必要である。そこで、図１５に示すように、容器本体１３には操作部である係止手段１４が形成されている。
すなわち、利用者が係止手段１４を操作することで、係止手段１４と蓋体１２との係止が外れ、蓋体１２がばね等の付勢力で開く構成となっている。
【０００３】
ところで、特許文献１の図１５の容器本体１３の内側は中空の凹部となっており包装体３０を収容できるが、容器本体１３の内壁の寸法が包装体３０の外形の寸法に近似するように形成されている。
このため、包装体３０を容器本体１３内に配置させたときに、包装体３０が容器本体１３内で大きく移動することなく安定的に配置できる構成となっている。
【０００４】
【特許文献１】特開２００１−１９２０７６号公報
【発明の開示】
【発明が解決しようとする課題】
【０００５】
しかしながら、利用者が例えば、乳幼児等のおむつ替えの際に、上述のような容器８０内のウェットティシュを急いで取り出そうとする時は、急いで蓋体１２を開ける必要がある。特に例えば夜間におむつを替える際には、就寝中ということもあり、暗い環境下で係止手段１４を操作する必要がある。しかし、暗い環境下では係止手段１４の位置が特定しづらく、また係止手段１４が小さい等の場合は、係止手段１４を操作し難いという問題があった。
このような問題を解決するには、容器本体１３の上面に配置されている係止手段１４の大きさを大きくすることが求められている。
しかし、容器本体１３の上面の係止手段１４を大きくすると、その分、ウェットティシュを取り出す開口の位置が係止手段１４の逆方向に移動することになる。
ところで、容器本体１３内に収容される包装体３０の取出口は、容器本体１３の開口の直下に位置するようになっている。
しかし、上述のように、開口の位置を移動させると、開口と包装体３０の取出口の位置関係がずれ、ウェットティシュが開口から引き出しにくくなるという問題があった。
【０００６】
また、特許文献１の図１５の容器本体１３内の包装体３０を利用者が入れ替えをする際、包装体３０を安定的に保持できるよう包装体３０と容器本体１３が近接して配置されるため、包装体３０を持った指等が容器本体１３の内壁等と干渉し、迅速な包装体３０の入れ替えをすることができないという問題があった。
そこで、シート体を収納する収納体を内部で安定的に配置させると共に、利用者が収納体を迅速に取り替えることができ、さらに、操作し易い大きさを操作部が有すると共に、操作部の配置場所を把握しやすいシート体収容容器を提供することを目的とする。
【課題を解決するための手段】
【０００７】
前記課題は、請求項１の発明によれば、先端部が上面側に配置されるシート体と、前記シート体を多数収納すると共に取出口を有する収納体を収容するシート体収容容器であって、前記シート体収容容器は、前記収納体の外形寸法に対応した中空部を有し、この中空部に前記収納体を安定的に配置できる容器本体部を備えており、前記容器本体部は、その壁厚が薄肉に形成され、前記容器本体部には、前記収納体を出し入れする為の開口と、前記開口を開閉可能に覆う蓋体と、前記シート体を使用単位毎に順次引き出すために、前記収納体の取出口の位置に対応して配置される取り出し開口部と、前記取り出し開口部を覆うために開閉可能な構成となっている取り出し蓋部と、前記取り出し蓋部の開閉動作を行うために利用者が操作する操作部と、が形成され、少なくとも、前記取り出し開口部が形成されている前記容器本体部の上面の一部及びこの一部と連接する側面には、外方に向かって突出部が形成され、前記操作部の少なくとも一部が、前記容器本体部の前記上面側に形成された前記突出部に配置されていることを特徴とするシート体収容容器により達成される。
【０００８】
前記構成によれば、少なくとも、取り出し開口部が形成されている容器本体部の上面の一部及びこの一部と連接する側面には、外方に向かって突出部が形成され、操作部の少なくとも一部が、容器本体部の上面側に形成された突出部に配置される。
このため、利用者が操作し易いように操作部を容器本体部の上面側で大きくしても、その大きくなった部分は、突出部で吸収される。さらに、突出部に操作部の少なくとも一部が配置されるため、手の感覚等だけでも操作部の位置が直ぐに特定できる。
したがって、従来のように操作部を大きくすることで取り出し開口部の位置が移動し、取り出し開口部と収納体の取出口との位置がずれることがないので、シート体を取り出し易い構成となっている。また、操作部を大きくできるので操作し易い操作部を形成することができる。しかも操作部の位置が明確とされ、例えば暗い環境下であっても、蓋体を開いて直ぐに使用する状態にすることができる。
【０００９】
また、前記構成によれば、容器本体部は、収納体の外形寸法に対応した中空部を有し、この中空部に収納体を安定的に配置できる構成となっている。このため、容器本体部内に配置された収納体は、容器本体部内で大きく移動することなく安定的に配置されることになる。しかし、利用者が包装体を取り替えるとき、包装体を持った指等が容器本体部の内壁等に干渉し、迅速に包装体の入れ替えを行うことができないおそれがあった。
この点、前記構成では、容器本体部の壁厚が薄肉に形成され、且つ突出部が形成されているので、突出部の内側には他の部分にはない十分な空間が形成される。
したがって、利用者は、この空間に指等を差し込むようにして、包装体の入れ替えを行えば、容器本体部の内壁等に干渉されることなく、包装体の入れ替え動作を容易に行うことができる。
【００１０】
好ましくは、請求項２の発明によれば、請求項１の構成において、前記容器本体部において前記突出部と対向する位置には、前記容器本体部の内側に向かって凹状に形成される容器本体凹部が形成されていることを特徴とするシート体収容容器である。
【００１１】
前記構成によれば、容器本体部には、それぞれ対向する位置に突出部と容器本体凹部が形成されているので、利用者が容器本体部を把持する際に、例えば親指を突出部の根元に置き、他の指を容器本体凹部に置いて把持する等、持つ位置を特定できるので把持し易い構成となっている。
【００１２】
好ましくは、請求項３の発明によれば、請求項１又は請求項２の構成において、前記操作部は、前記容器本体部内で、軸点を中心として上下方向に揺動する構成となっていることを特徴とするシート体収容容器である。
【００１３】
前記構成によれば、操作部は容器本体部内で揺動するため、操作部の揺動状態が外部に露出しない。つまり、操作部の移動する空間の領域が容器本体部の壁面によって塞がれることとなる。したがって、利用者の指等が誤って操作部に触れることで、操作部の動きを妨げることがないだけでなく、乳幼児等が誤って操作部に指を挟んだり、操作部の空間に何かが入り込んで操作部が外れてしまう等の問題が発生する恐れもない。
【００１４】
好ましくは、請求項４の発明によれば、請求項１乃至請求項３のいずれかの構成において、前記容器本体部における前記開口は、前記容器本体部の下側に配置されており、前記蓋体が前記容器本体よりも柔軟な材料で形成されて、前記容器本体部の前記突出部に対応した位置が開口突出部とされており、前記蓋体に前記開口突出部と嵌合する蓋体突出部が形成されている。
【００１５】
前記構成によれば、容器本体部の開口は下側に配置され、その開口を柔軟な蓋体によって塞ぐ構成とされている。その為、共に最も開口面積が大きい部分が漏れづらい下側となり、しかも蓋体がパッキン状に僅かに変形しながら開口と嵌合することとなり、確実に中空部内の密閉を保つことができ、例えばウェットティシュの不織布に含浸された薬液が揮発することを防ぐ。
しかも、開口は突出部に対応した位置で開口突出部とされており、蓋体にも同じ突出形態とされた蓋体突出部とされているため、収納体を出し入れする際に操作を行い易くしつつ、確実に密閉を保つ構成とされている。
【発明の効果】
【００１６】
本発明は、以上の点に鑑み、シート体を収納する収納体を内部で安定的に配置させると共に、利用者が収納体を容易に取り替えることができ、さらに、操作し易い大きさを操作部が有すると共に、操作部の配置場所を把握しやすいシート体収容容器を提供することことができるという利点がある。
【発明を実施するための最良の形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
（第１の実施の形態）
図１は、本発明のシート体収容容器の第１の実施の形態に係るウェットティシュ容器１０を示す概略斜視図、図２は図１のウェットティシュ容器１０の概略平面図、図３は、図２のＡ−Ａ’線概略断面図である。
図４は、図１のウェットティシュ容器１０内に収容される収納体である例えば、ウェットティシュ収納袋２０と、ウェットティシュ収納袋２０内に配置されるシート体である例えば、ウェットティシュ片２１を示す概略断面図である。
【００１９】
図４に示すように、ウェットティシュ収納袋２０内には多数のウェットティシュ片２１が折り畳まれて収納されている。具体的には、図４に示すように、各ウェットティシュ片２１は上辺が中辺及び下辺よりも２倍の長さを有するＺ状に折り畳まれている。このため、折り畳むと、各ウェットティシュ片２１の先端部が上面側に配置されることになる。
また、ウェットティシュ収納袋２０には、ウェットティシュ片２１を取り出すための取出口である例えば、収納袋開口２２が形成されている。
【００２０】
そして、図４の最上部に配置されているウェットティシュ片２１ａの折り、即ち約１／２の位置で折られた間に、その下に配置されているウェットティシュ片２１ｂの先端部が挟まれて配置されている。
このように配置すると、最上部のウェットティシュ片２１ａを利用者が収納袋開口２２から引き出すとき、その下のウェットティシュ片２１ｂも追従して上方に移動し、その先端部がウェットティシュ収納袋２０の開口から突出して配置されることになる。
これにより、次回、利用者がウェットティシュ片２１ｂを引き出しやすい構成となっている。
【００２１】
ところで、ウェットティシュ容器１０は、図３に示すように、容器本体部１００を有している。容器本体部１００は、図４に示すウェットティシュ収納袋２０を収容するための中空部Ｅを有する本体１１０と、この本体１１０のウェットティシュ収納袋２０を出し入れする開口１１０ａを開閉可能に覆うための蓋体である底蓋１４０を有している。この底蓋１４０は本体１１０よりも柔軟な材料であるポリエチレン等で形成されており、図３に示すように開口１１０ａの外周に嵌合して密閉を保つよう構成されている。その為、底蓋１４０には、対向する角部に開く際の掴み部１４１，１４２が形成されている（図２参照）。そしてウェットティシュ容器１０の方向性が感触だけで識別できるよう、各摘み部１４１，１４２はそれぞれ他と異なる形状とされている。
本体１１０の中空部Ｅは、ウェットティシュ収納袋２０の外形寸法に対応して形成され、中空部Ｅ内にウェットティシュ収納袋２０を配置した際に、ウェットティシュ収納袋２０が安定的に配置できる構成となっている。なお、本体１１０の中空部Ｅ側には上下方向に延びるリブ等が形成され、本体１１０の強度を保つと共に、ウェットティシュ収納袋２０を確実に保持できるよう構成されている。
【００２２】
また、本体１１０の上面には、図４に示すウェットティシュ収納袋２０内のウェットティシュ片２１を使用単位毎に順次、収納袋開口２２を介して引き出すための取り出し開口部である例えば、本体開口１１２が本体１１０の天面より僅かに窪んだ位置に形成されている（図２及び図３参照）。
このように、本体開口１１２は、ウェットティシュ片２１を利用者がつまんで引き出す開口であるため、この本体開口１１２は、本体１１０内に収容されたウェットティシュ収納袋２０の収納袋開口２２に対応した位置に形成されている。すなわち、本体開口１１２は、後述する突出部１１３や本体凹部１１６による凹凸を除いた略中央領域に配置されている。
【００２３】
また、本体１１０の本体開口１１２側には、取り出し蓋部である例えば、蓋体１２０が図１及び図３に示すように形成されている。蓋体１２０は、直接、本体開口１１２を覆うために開閉可能な構成で成っている開口蓋１２１を有すると共に、この開口蓋１２１を開状態に維持するための弾性片１２２を有している。
弾性片１２２は、図２及び図３に示すように、全体がコの字状のシリコーンやエラストマー等で形成されている。そして、図３に示すように弾性片１２２のコの字の中間領域が開口蓋１２１に固定され、コの字の両端部が本体開口１１２側に折り曲げられた状態で開口蓋１２１に当接される構成とされているため、弾性片１２２の復元力によって開口蓋１２１は常に開方向に付勢されている。
また、本体１１０には、開口蓋１２１を閉状態に維持するための係止手段として、本体側係止凸部１１４が図３に示すように形成されている。また、対応する蓋体１２１側には蓋側係止凸部１２１ａが形成されている。
したがって、開口蓋１２１の蓋側係止凸部１２１ａが本体１１０の本体側係止凸部１１４に係止されることで、開口蓋１２１を閉じた状態では閉状態に維持される構成となっている。
【００２４】
また、本体１１０の上面側には、開口蓋１２１の開閉動作を行うために利用者が操作する操作部１３０が形成されている。
操作部１３０は、図３に示すように、利用者が直接操作する部分である操作片１３１を有している。操作片１３１は揺動軸１３２の軸点を中心として上下方向に揺動する構成となっている。すなわち、操作片１３１は矢印Ｒの方向に揺動可能となっている。
また、操作片１３１の図３の右端には解除片１３３が形成されている。
すなわち、利用者が操作片１３１を図の下方向に押し下げるように操作すると、解除片１３３は反対に上昇し、解除片１３３上に配置された開口蓋１２１の端部を上に押し上げる力が加わる。
このとき、開口蓋１２１の蓋側係止凸部１２１ａと本体１１０の本体側係止凸部１１４との係止が解除され、開口蓋１２１は弾性片１２２の付勢力で開状態となる。
このように、開口蓋１２１を閉状態にするには、開口蓋１２１の蓋側係止凸部１２１ａを本体側係止凸部１１４に係止させればよく、開口蓋１２１を開状態にするには操作部１３０の操作片１３１を押し下げるだけでよい構成となっている。
なお、弾性片１２２をコイルスプリングとする等、開口蓋や各係止手段、操作部は機能が同一ならば、異なる構成を採用してもよいのはもちろんである。
【００２５】
また、ウェットティシュ容器の本体１１０の壁面である本体壁１１１の壁厚が薄肉に形成されると共に、ウェットティシュ容器１０の本体１１０及び底蓋１４０のうち、本体開口１１２が形成されている本体の上面の一部及びこの一部と連接する側面には、図１に示すように、外方に向かって円弧状に突出部１１３が形成されている。
そして、本体１１０の上面側の突出部１１３には、図１に示すように操作部１３０の操作片１３１の一部が配置されている。この突出部１１３を断面で示したのが、図３の斜線部分であり、突出部１１３上端領域に、操作部１３０先端に配置された指がかり１３１ａが配置されるよう構成されている。
このように、本実施の形態では、本体１１０及び底蓋１４０にかけて突出部１１３が形成され、本体開口１１０ａ側が開口突出部１１３ａとして突出した状態の開口端とされており、対応する底蓋１４０側にも底蓋突出部１４０ａが開口突出部１１３ａを覆うよう構成されている。このため、利用者が操作し易いように、操作片１３１の上面を図１に示すように大きく形成しても、その大きくなった部分は突出部１１３で吸収され、しかも手で触れただけで操作部１３０の位置が分る構成となっている。
したがって、従来のように、操作片を大きくしたことで、本体開口１１２の位置が移動し、本体開口１１２と収納袋開口２２との位置関係がずれ、ウェットティシュ片２１が取り出し難いという問題が生じることがない。したがって、かかる問題が生じることなく操作片１３１を大きくすることができ、利用者が操作しやすいウェットティシュ容器１０とすることができる。
【００２６】
特に、夜中に保護者が乳幼児等のおむつ替えをするときに操作片１３１の位置を探す場合があるが、例え暗い環境下であっても、手で触れて突出部１１３を探すことで直ぐに操作片１３１の位置を探すことができ、ウェットティシュ片２１を速やかに取り出すことができる。
【００２７】
また、上述のように本体１１０の中空部Ｅは、ウェットティシュ収納袋２０の外形寸法に対応して形成され、中空部Ｅ内にウェットティシュ収納袋２０を配置した際に、ウェットティシュ収納袋２０が安定的に配置できる構成となっている。
この場合、本実施の形態のように、突出部１１３が存在しないと、利用者が本体１１０内のウェットティシュ収納袋２０を入れ替えるときに、ウェットティシュ収納袋２０を持った指等が本体１１０の内壁等に当接等し、迅速に入れ替え動作を行うことができなかった。
しかし、本実施の形態では、図３に示すように、本体１１０内に突出部１１３による空間（図３の斜線部分）が開口突出部１１３ａから上方に延びるよう形成されている。このため、利用者はこの空間に指等を差し込むことができ、ウェットティシュ収納袋２０の入れ替えを迅速に行うことができる。
【００２８】
また、図３に示すように、操作片１３１の矢印Ｒ方向への移動は、本体１１０の上面側に設けられた上面凹部１１５内で行われる構成となっている。
このため、操作片１３１の移動状態が外部に露出しないので、利用者の指等が誤って操作片１３１に触れ、操作片１３１の動きを妨げることがない。
【００２９】
また、本体１１０において突出部１１３と対向する位置、図１の裏面側には、本体１１０の内側に向かって凹状に形成される容器本体凹部である例えば、本体凹部１１６が形成され、本体１１０の中央領域が本体開口１１２側に向かって窪んでいる。
このように本体１１０にはへこみである本体凹部１１６が形成されているので、利用者が本体１１０を把持する際に、例えば親指を突出部１１３の根元に置き、他の指を本体凹部１１６に置き、挟み込むように持つことで、指の配置を行い易く、把持し易い構成となっている。
【００３０】
また、本体１１０の上面のうち、操作部１３０側は図３に示すように、他の部分より大きく傾斜して形成されている（図３のθ１参照）。したがって、利用者が操作部１３０を操作してウェットティシュ片２１を取り出す際に、利用者の身体に向かって上面が対向するよう配置され、突出部１１３等と相まって、取り出し易い構成となっている。
【００３１】
（第２の実施の形態）
図５は、本発明の第２の実施の形態にかかるウェットティシュ容器３０を示す概略斜視図であり、図６は図５の概略右側面図である。
本実施の形態にかかるウェットティシュ容器３０の多くの構成は上述の第１の実施の形態と共通するため、共通する構成は第１の実施の形態と同一符号等として説明を省略し、以下、相違点を中心に説明する。
【００３２】
図５に示すように、本実施の形態では、操作部３３０の構成が第１の実施の形態と異なる。すなわち、操作部３３０の操作片３１３は、２つに分離して配置され、それぞれ操作片３１３ａと３１３ｂと成っている。
そして、これら２つの操作片３１３ａと操作片３１３ｂとの間には境界壁３１４が形成されている。また、開口蓋１２１を開けるには、２つの操作片３１３ａ、３１３ｂを同時に押し下げることが必要な構成となっている。
したがって、乳幼児等が操作片を操作して開口蓋１２１を開け、ウェットティシュ片２１を引き出すという悪戯がし難い構成となっている。なぜなら、乳幼児が悪戯で２つにうち一方のみの操作片３１３ａを押し下げても開口蓋１２１は開かず、両方を同時に押す操作をするという、乳幼児にとって難しい動きが必要とされるためである。
【００３３】
また、本実施の形態では、本体３１０の操作部３３０側の側面に取っ手３１１が形成されている。このため、利用者が本体３１０を持ちやすい構成となっている。
さらに、本実施の形態では、本体３１０の操作部３３０側への傾斜が、第１の実施の形態の図３のθ１より大きく形成されている。
このため、利用者がウェットティシュ片２１をより取り出し易い構成となっている。
【００３４】
本発明は、上述の各実施の形態に限定されない。例えば、本体１１０の下側に開口１１０ａを形成し、底蓋１４０で塞いでウェットティシュ容器１０を構成するのではなく、底蓋側にウェットティシュ収容袋２０を収容する空間を形成して上側を開口として、本体１１０がその開口を塞ぐ蓋状の形態とされていてもよい。
また、本体１１０の長手方向中央領域に突出部１１３や操作片１３１を配置するのではなく、短手方向中央領域に突出部や操作片が配置され、利用者にとって奥行きがある形態としてもよい。
さらに、シート体がロール状を縦置きするような構成とされて、対応して本体１１０が筒状の形態とされて突出部や操作片が配置され、使用時には先端部が上面に配置されるような形態であってもよい。
上述の各実施の形態は、相互に組み合わせて構成するようにしてもよい。
【図面の簡単な説明】
【００３５】
【図１】本発明のシート体収容容器の第１の実施の形態に係るウェットティシュ容器を示す概略斜視図である。
【図２】図１のウェットティシュ容器の概略平面図である。
【図３】図２のＡ−Ａ’線概略断面図である。
【図４】図１のウェットティシュ容器内に収容されるウェットティシュ収納袋と、ウェットティシュ収納袋内に配置されるウェットティシュ片を示す概略断面図である。
【図５】本発明の第２の実施の形態にかかるウェットティシュ容器を示す概略斜視図である。
【図６】図５の概略右側面図である。
【符号の説明】
【００３６】
１０・・・ウェットティシュ容器、２０・・・ウェットティシュ収納袋、２１・・・ウェットティシュ片、２２・・・収納袋開口、１００・・・容器本体部、１１０・・・本体、１１１・・・本体壁、１１２・・・本体開口、１１３・・・突出部、１１４・・・本体側係止凸部、１１５・・・上面凹部、１２０・・・蓋体、１２１・・・開口蓋、１２１ａ・・・蓋側係止凸部、１２２・・・弾性片、操作部・・・１３０、１３１・・・操作片、１３３・・・解除片、１４０・・・底蓋、Ｅ・・・中空部
【図１】
2006340915.tif 000003
【図２】
2006340915.tif 000004
【図３】
2006340915.tif 000005
【図４】
2006340915.tif 000006
【図５】
2006340915.tif 000007
【図６】
2006340915.tif 000008